(57)【要約】【課題】カメラ本体および交換レンズを有するカメラシステムにおいて利便性を高める。【解決手段】カメラシステム１は、交換レンズユニット２とカメラ本体３とを含んでいる。カメラ本体３には本体側フォーカス操作部を有し、交換レンズユニット２は電動マニュアルフォーカスに対応し、かつレンズ側フォーカス操作部としてのフォーカスリング６７を有している。カメラ本体３のボディーマイコン１０は、本体側フォーカス操作部およびレンズ側フォーカス操作部のどちらか一方を電動マニュアルフォーカス操作部材として機能させる。【選択図】図１
2010281848.tif 000002
【特許請求の範囲】
【請求項１】
レンズ鏡筒が着脱可能なマウントと、被写体の画像を取得する撮像部と、
電動でのマニュアルフォーカスが可能なレンズ鏡筒が装着された場合に、前記マニュアルフォーカスを操作する本体側操作部とを備えたカメラ本体であって、
装着された前記レンズ鏡筒が、電動でのマニュアルフォーカスが可能か否かの情報およびマニュアルフォーカス動作を操作するレンズ側フォーカス操作部を有しているか否かの情報を含むレンズ情報を前記レンズ鏡筒から取得し、前記レンズ情報に応じて前記本体側操作部に割り当てられた機能を制御する制御部を備えることを特徴とするカメラ本体。
【請求項２】
前記制御部は、電動でのマニュアルフォーカスが可能でマニュアルフォーカス動作を操作するレンズ側フォーカス操作部を有しているレンズ鏡筒が装着された場合に、前記マニュアルフォーカス動作とは異なる動作を操作する機能を前記本体側操作部に割り当てることを特徴とする請求項１に記載のカメラ本体。
【請求項３】
前記制御部は、電動でのマニュアルフォーカスが可能でないレンズ鏡筒が装着された場合に、前記マニュアルフォーカス動作とは異なる動作を操作する機能を前記本体側操作部に割り当てることを特徴とする請求項１に記載のカメラ本体。
【請求項４】
前記制御部は、電動でのマニュアルフォーカスが可能でないレンズ鏡筒が装着された場合に、前記本体側操作部の操作を無効にすることを特徴とする請求項１に記載のカメラ本体。
【請求項５】
ファインダとモニタとをさらに備え、
前記ファインダに接眼して撮影を行うファインダ撮影モードと、
前記ファインダに接眼せずに撮影するモニタ撮影モードとを有し、
前記制御部は、
前記ファインダ撮影モードで撮影する場合には、前記レンズ側フォーカス操作部をマニュアルフォーカス動作の操作部として機能させ、
前記モニタ撮影モードで撮影する場合には、前記本体側操作部をマニュアルフォーカス動作の操作部として機能させることを特徴とする請求項１に記載のカメラ本体。
【請求項６】
前記制御部は、電動でのマニュアルフォーカスが可能であり、マニュアルフォーカス動作を操作するレンズ側フォーカス操作部を有しているレンズ鏡筒が装着された場合に、前記本体側操作部の操作中は前記レンズ側フォーカス操作部の操作を無効にすることを特徴とする請求項１に記載のカメラ本体。
【請求項７】
前記制御部は、電動でのマニュアルフォーカスが可能であり、マニュアルフォーカス動作を操作するレンズ側フォーカス操作部を有しているレンズ鏡筒が装着された場合に、前記レンズ側フォーカス操作部の操作中は前記本体側操作部の操作を無効にすることを特徴とする請求項１に記載のカメラ本体。
【請求項８】
前記本体側操作部の操作に関する情報を表示する表示部を備え、前記制御部は前記本体側操作部の操作に割り当てられた機能に応じて、前記表示部に表示する内容を変更することを特徴とする請求項１〜７のいずれか１項に記載のカメラ本体。
【請求項９】
前記制御部は前記本体側操作部の操作が無効になった機能に対応する表示を無効にすることを特徴とする請求項８に記載のカメラ本体。
【請求項１０】
請求項１〜９のいずれか１項に記載のカメラ本体に装着され、電動でのマニュアルフォーカスが可能か否かの情報およびマニュアルフォーカス動作を操作するレンズ側フォーカス操作部を有しているか否かの情報を含むレンズ情報を記憶する記憶部を備えたことを特徴とするレンズ鏡筒。
【請求項１１】
請求項１〜９のいずれか１項に記載のカメラ本体および請求項１０に記載のレンズ鏡筒とを備えたことを特徴とするカメラシステム。
【発明の詳細な説明】
【技術分野】
【０００１】
本発明は、レンズ交換が可能なデジタル方式のカメラ本体、レンズ鏡筒およびカメラシステムに関する。
【背景技術】
【０００２】
近年、被写体の光学的な像を電気的な画像信号に変換して出力可能なデジタル一眼レフカメラが、急速に普及している。このデジタル一眼レフカメラでは、ユーザーによるファインダを用いた被写体観察時には、撮影レンズに入射した光（すなわち被写体像）を、レンズの後の撮影用光路上に配置した反射ミラーで反射することにより光路を変更し、ペンタプリズムなどを通して正立像にして光学ファインダに導くことで、レンズを通した被写体像を光学ファインダから見ることができる。したがって通常は、ファインダ用光路を形成する位置が反射ミラーの定位置となっている。
【０００３】
一方、レンズを撮影用として使用する場合は、反射ミラーが瞬時に位置を変え、撮影用光路から退避することで、ファインダ用光路を撮影用光路に切り換え、撮影が終了すると定位置に瞬時に戻る。この方式は、一眼レフ方式であれば、従来の銀塩カメラでも、デジタルカメラでも同様である。
【０００４】
デジタルカメラの特徴の一つは、撮影時に表示装置（例えば、液晶モニタ）を見ながら撮影し、撮影後にすぐに撮影画像を確認できることが挙げられるが、これまでの一眼レフの反射ミラーの方式を用いると、撮影時に、液晶モニタを使用できないという課題があった。このように、液晶モニタを用いて撮影できないことにより、ファインダを覗いて撮影することになるため、とりわけ、デジタルカメラの撮影に不慣れな初心者にとっては、非常に使いにくくなっていた。また昨今は、静止画撮影のみならず、動画撮影などの機能も望まれている。
【０００５】
また、カメラ本体に取り付け可能な交換レンズにおいては、手動でマニュアルリングを回転させてピント調整を行うマニュアルフォーカス機能を有するものがある。さらにこの機能には、リングの回転に合わせてフォーカスレンズをメカニカルに操作するものと、リングの回転を電気信号に変換してフォーカスレンズを電動で操作するものがある。
【０００６】
特許文献１には、交換レンズ式のデジタル一眼レフカメラにおいて、液晶モニタを見ながら撮影できる構成について開示されている。
【０００７】
特許文献２には、オートフォーカスと電動マニュアルフォーカスとを切り換えて使用するカメラ用交換レンズの構成について開示されている。
【特許文献１】特開２００１−１２５１７３号公報
【特許文献２】特開平１−１０８５１４号公報
【発明の開示】
【発明が解決しようとする課題】
【０００８】
交換レンズ式の一眼レフカメラに電動マニュアルフォーカス機能を搭載した交換レンズを装着した場合には、本体側が有するフォーカス操作キーでフォーカス操作するのが一般的である。しかしながら、電動マニュアルフォーカス機能を搭載した交換レンズには、前述したように交換レンズ側にフォーカス操作リングを有するものもあり、このような交換レンズをフォーカス操作キーを有するカメラ本体と接続した場合に、フォーカス操作機能が競合し、システムが破綻するという問題がある。また、デジタル一眼レフカメラにおいては、液晶モニタを見ながら撮影する場合と、ファインダを覗いて撮影する場合の２つのケースがあるが、それぞれのケースにふさわしいフォーカス操作を行う必要があるという別の問題もある。
【０００９】
しかしながら、これらの問題については上記特許文献１および特許文献２に何等の開示もされていない。
【００１０】
本発明は上記の課題を解決するためになされたものであり、電動マニュアルフォーカス機能が搭載され、フォーカス操作リングを有する交換レンズユニットを、フォーカス操作キーを有するカメラ本体に接続した場合に、システム破綻することのないカメラ本体、レンズ鏡筒およびカメラシステムを提供することを目的とする。また、他の発明は、電動マニュアルフォーカス機能が搭載され、フォーカス操作リングを有する交換レンズユニットを、フォーカス操作キーを有するカメラ本体に接続した場合に、フォーカス操作の利便性を向上させることが可能なカメラ本体、レンズ鏡筒およびカメラシステムを提供することを目的とする。
【課題を解決するための手段】
【００１１】
上記目的を達成するために、第１の発明に係るカメラ本体は、レンズ鏡筒が着脱可能なマウントと、被写体の画像を取得する撮像部と、電動でのマニュアルフォーカスが可能なレンズ鏡筒が装着された場合に、マニュアルフォーカスを操作する本体側操作部とを備えたカメラ本体であって、装着されたレンズ鏡筒が、電動でのマニュアルフォーカスが可能か否かの情報およびマニュアルフォーカス動作を操作するレンズ側フォーカス操作部を有しているか否かの情報を含むレンズ情報をレンズ鏡筒から取得し、レンズ情報に応じて本体側操作部に割り当てられた機能を制御する制御部を備えることを特徴とする。
【００１２】
これにより、カメラ本体に装着されたレンズ鏡筒に応じてカメラ本体側の操作部に必要な機能を割り当てることができるのでシステムの競合を回避でき、フォーカス操作の利便性を向上させることができる。
【００１３】
第２の発明に係るカメラ本体は、第１の発明に係るカメラ本体において、制御部は、電動でのマニュアルフォーカスが可能でマニュアルフォーカス動作を操作するレンズ側フォーカス操作部を有しているレンズ鏡筒が装着された場合に、マニュアルフォーカス動作とは異なる動作を操作する機能を本体側操作部に割り当てることを特徴とする。
【００１４】
これにより、カメラ本体側操作部とレンズ側フォーカス操作部の操作に異なる機能が割り当てられるので両者の操作が競合してシステムを破綻させることがなく、さらに本体側操作部を有効に利用できるのでフォーカス操作の利便性を向上させることができる。
【００１５】
第３の発明に係るカメラ本体は、第１の発明に係るカメラ本体において、制御部は、電動でのマニュアルフォーカスが可能でないレンズ鏡筒が装着された場合に、マニュアルフォーカス動作とは異なる動作を操作する機能を本体側操作部に割り当てることを特徴とする。
【００１６】
これにより、本体側操作部から電動でのマニュアルフォーカスに非対応のレンズ鏡筒にフォーカス動作の指令を出してシステム破綻を起こすことがない。さらに、カメラ本体側操作部にフォーカス操作以外の機能を操作を割り当てるので操作の利便性を向上させることができる。
【００１７】
第４の発明に係るカメラ本体は、第１の発明に係るカメラ本体において、制御部は、電動でのマニュアルフォーカスが可能でないレンズ鏡筒が装着された場合に、本体側操作部の操作を無効にすることを特徴とする。
【００１８】
これにより、本体側操作部から電動でのマニュアルフォーカスに非対応のレンズ鏡筒にズーム動作の指令を出してシステム破綻を起こすことがない。
【００１９】
第５の発明に係るカメラ本体は、ファインダとモニタとをさらに備え、ファインダに接眼して撮影を行うファインダ撮影モードと、ファインダに接眼せずに撮影するモニタ撮影モードとを有し、制御部は、ファインダ撮影モードで撮影する場合には、レンズ側フォーカス操作部をマニュアルフォーカス動作の操作部として機能させ、モニタ撮影モードで撮影する場合には、本体側操作部をマニュアルフォーカス動作の操作部として機能させることを特徴とする。
【００２０】
これにより、カメラ本体のホールドのしやすさとフォーカス操作のしやすさを両立させることによりユーザーの撮影姿勢に適したフォーカス操作が可能となる。
【００２１】
第６の発明に係るカメラ本体は、第１の発明に係るカメラ本体において、制御部は、電動でのマニュアルフォーカスが可能であり、マニュアルフォーカス動作を操作するレンズ側フォーカス操作部を有しているレンズ鏡筒が装着された場合に、本体側操作部の操作中はレンズ側フォーカス操作部の操作を無効にすることを特徴とする。
【００２２】
これにより、本体側操作部のフォーカス操作を優先し、本体側操作部とレンズ側操作部が同時に操作された場合でも２つのフォーカス操作が競合してシステム破綻することがなく、あわせてフォーカス操作の利便性を向上させることができる。
【００２３】
第７の発明に係るカメラ本体は、第１の発明に係るカメラ本体において、制御部は、電動でのマニュアルフォーカスが可能であり、マニュアルフォーカス動作を操作するレンズ側フォーカス操作部を有しているレンズ鏡筒が装着された場合に、レンズ側フォーカス操作部の操作中は本体側操作部の操作を無効にすることを特徴とする。
【００２４】
これにより、レンズ側フォーカス操作部のフォーカス操作を優先し、本体側操作部とレンズ側操作部が同時に操作された場合でも２つのフォーカス操作が競合してシステム破綻することがなく、あわせてズーム操作の利便性を向上させることができる。
【００２５】
第８の発明に係るカメラ本体は、第１〜第７の発明に係るカメラ本体において、本体側操作部の操作に関する情報を表示する表示部を備え、制御部は本体側操作部の操作に割り当てられた機能に応じて、表示部に表示する内容を変更することを特徴とする。
【００２６】
これにより、ユーザーは本体側操作部の操作に割り当てられた機能をＬＣＤモニタなどの表示部で視覚的に確認できるので、本体側操作部の操作に複数の機能が割り当てられても混乱することがなくフォーカス操作の利便性が向上する。
【００２７】
第９の発明に係るカメラ本体は、第８の発明に係るカメラ本体において、制御部は本体側操作部の操作が無効になった機能に対応する表示を無効にすることを特徴とする。
【００２８】
これにより、ユーザーは本体側操作部の操作が無効であることをＬＣＤモニタなどの表示部で視覚的に容易に確認できるので、無駄に操作を続けたり、誤って操作をして撮影を失敗することをない。例えば、電動マニュアルフォーカスに対応していないレンズ鏡筒がカメラ本体に装着された場合に本体側操作部の表示をグレイアウトしたり、消去したりしてもよい。
【００２９】
第１０の発明に係るレンズ鏡筒は、第１〜第９のいずれかの発明に係るカメラ本体に装着され、電動でのマニュアルフォーカスが可能か否かの情報およびマニュアルフォーカス動作を操作するレンズ側フォーカス操作部を有しているか否かの情報を含むレンズ情報を記憶する記憶部を備えたことを特徴とする。
【００３０】
これにより、異なるレンズ鏡筒がカメラ本体に装着された場合にも、カメラ本体はレンズ鏡筒から必要なレンズ情報を取得することができる。
【００３１】
第１１の発明に係るカメラシステムは、第１〜第９のいずれかの発明に係るカメラ本体および第１０の発明に係るレンズ鏡筒とを備えたことを特徴とする。
【００３２】
これにより、カメラ本体に装着されたレンズ鏡筒に応じてカメラ本体側の操作部に必要な機能を割り当てることができるのでシステムの競合を回避でき、フォーカス操作の利便性を向上させることができる。
【発明の効果】
【００３３】
本発明によれば、電動マニュアルフォーカス機能が搭載され、フォーカス操作リングを有する交換レンズユニットを、フォーカス操作キーを有するカメラ本体に接続した場合に、システム破綻することのないカメラシステムおよびカメラ本体を提供することができる。また他の発明によれば、電動マニュアルフォーカス機能が搭載され、フォーカス操作リングを有する交換レンズユニットを、フォーカス操作キーを有するカメラ本体に接続した場合に、フォーカス操作の利便性を向上させることが可能なカメラ本体、レンズ鏡筒およびカメラシステムを提供することができる。
【発明を実施するための最良の形態】
【００３４】
以下、本発明の実施の形態について図面を参照しながら、詳細に説明する。
【００３５】
〔第１実施形態〕
＜１：カメラシステムの全体構成＞
図１〜図３を用いて本発明の第１実施形態におけるカメラシステム１の全体構成について説明する。図１は本発明の第１実施形態におけるカメラシステム１の構成を示すブロック図である。図２は本発明の第１実施形態におけるカメラ本体３の構成を示すブロック図である。図３は本発明の第１実施形態におけるカメラ本体３の概観図であり、（ａ）はカメラ本体３を上から見た図、（ｂ）はカメラ本体３の背面から見た図である。
【００３６】
図１に示すように、カメラシステム１は、交換レンズ式のデジタル一眼レフカメラシステムであり、主に、カメラシステム１の主要な機能を有するカメラ本体３と、カメラ本体３に取り外し可能に装着された交換レンズユニット（レンズ鏡筒）２と、から構成されている。交換レンズユニット２は、レンズマウント７９を介して、カメラ本体３の前面に設けられたボディーマウント４に装着されている。
【００３７】
（１．１：カメラ本体）
図１および図２に示すように、カメラ本体３は主に、被写体を撮像する撮像部７１と、撮像部７１などの各部の動作を制御する本体制御部としてのボディーマイコン（制御部）１０と、撮影された画像や各種情報を表示する画像表示部７２と、画像データを格納する画像格納部７３と、被写体像を視認するファインダ光学系２２と、から構成されている。
【００３８】
撮像部７１は主に、入射光をファインダ光学系２２および焦点検出ユニット５に導くクイックリターンミラー２３と、光電変換を行うＣＣＤ（Charge Coupled Device）などの撮像センサ１１と、撮像センサ１１の露光状態を調節するシャッターユニット３３と、ボディーマイコン１０からの制御信号に基づいてシャッターユニット３３の駆動を制御するシャッター制御部３１と、撮像センサ１１の動作を制御する撮像センサ駆動制御部１２と、焦点（被写体像の合焦状態）を検出する焦点検出ユニット５と、から構成されている。焦点検出ユニット５は、例えば一般的な位相差検出方式によって焦点検出を行う。なお、焦点検出方式については、カメラシステム１の使用状況により、上記の焦点検出ユニット５を使用する位相差検出方式と、撮像センサ１１から出力される画像信号に基づくコントラスト検出方式と、のいずれかが用いられる。コントラスト検出方式の場合、ボディーマイコン１０によりコントラスト値が求められ焦点が検出される。すなわち、ボディーマイコン１０がコントラスト検出部を含んでいると言える。この焦点検出結果は後述のレンズマイコン４０に送信され、第２レンズ群（以下、「フォーカスレンズ群」ともいう）Ｌ２の駆動に用いられる。
【００３９】
撮像センサ１１は、撮像光学系Ｌにより形成される光学的な像を電気的な信号に変換する、例えばＣＣＤ（Charge Coupled Device）センサである。撮像センサ１１は、撮像センサ駆動制御部１２により発生されるタイミング信号により駆動制御される。なお、撮像センサ１１はＣＭＯＳ（Complementary Metal Oxide Semiconductor）センサでもよい。
【００４０】
ボディーマイコン１０は、カメラ本体３の中枢を司る制御部であり、各種シーケンスをコントロールする。具体的には、ボディーマイコン１０にはＣＰＵ、ＲＯＭ、ＲＡＭが搭載されており、ＲＯＭに格納されたプログラムがＣＰＵに読み込まれることで、ボディーマイコン１０は様々な機能を実現することができる。例えば、ボディーマイコン１０は、交換レンズユニット２がカメラ本体３に装着されたことを検知する機能、あるいは交換レンズユニット２から焦点距離情報などのカメラシステム１を制御する上で不可欠な情報を取得し交換レンズユニット２の動作を制御する機能などを有している。さらに、ボディーマイコン１０は、交換レンズユニット２が電動マニュアルフォーカスに対応しているか否か、電動マニュアルフォーカスに対応している場合には交換レンズユニット２がフォーカス操作リングを有しているか否かの情報を交換レンズユニット２から取得する機能を有している。さらには、交換レンズユニット２が動画撮影に対応しているか否かを判断する機能、撮像センサ駆動制御部１２を介して撮像センサ１１の動作を静止画撮影モードおよび動画撮影モードに設定する機能を有していてもよい。図１に示すように、ボディーマイコン１０はカメラ本体３に設けられた各部と接続されている。
【００４１】
また、ボディーマイコン１０は、図３に示す電源スイッチ２５、レリーズボタン３０、モード切換ダイアル２６、十字操作キー（本体側操作部）２７、ＭＥＮＵ設定ボタン２８およびＳＥＴボタン２９、ファインダ切換ボタン３４、動画撮影操作ボタン３５の信号を、それぞれ受信可能である。
【００４２】
さらに、図２に示すように、ボディーマイコン１０内のメモリ３８には、カメラ本体３に関する各種情報が格納されている。この本体情報には、例えば、カメラ本体３の製造会社名、製造年月日、型番、ボディーマイコン１０にインストールされているソフトのバージョンおよびファームアップに関する情報などのカメラ本体３を特定するための型式に関する情報などが含まれている。なお、メモリ３８は、レンズマイコン４０から送信された情報を格納可能である。
【００４３】
ボディーマイコン１０は、レリーズボタン３０などの操作に応じて、撮像センサ１１などのカメラシステム全体を制御する。ボディーマイコン１０は、垂直同期信号をタイミング発生器に送信する。これと並行して、ボディーマイコン１０は、垂直同期信号に基づいて、露光同期信号を生成する。ボディーマイコン１０は、生成した露光同期信号を、ボディーマウント４およびレンズマウント７９を介して、レンズマイコン４０に周期的に繰り返して送信する。
【００４４】
また、ボディーマイコン１０は、十字操作キー２７にマニュアルフォーカス操作機能を割り付け、十字操作キーの操作に基づいたフォーカス操作信号をボディーマウント４およびレンズマウント７９を介して、レンズマイコン４０に送信し、レンズマイコン４０からフォーカスレンズ群駆動制御部４１に指令を送ることで交換レンズユニット２のフォーカスレンズ群Ｌ２を無限遠側あるいは至近側に移動させることができるように構成される。十字操作キー２７へのマニュアルフォーカス操作機能の割り付けは、本実施の形態においては後述するように自動的に行われる。なお、十字操作キー２７へのマニュアルフォーカス操作機能の割り付けは、十字操作キー２７、ＭＥＮＵ設定ボタン２８、ＳＥＴボタン２９を操作して、マニュアルフォーカス操作機能の割り付けを有効あるいは無効に切り換えられるようにしてもよい。十字操作キー２７へマニュアルフォーカス操作機能の割り付けが行われた場合には、図３（ｂ）において十字操作キー２７の操作部位２７ａが操作されると、ボディーマイコン１０は、この操作に基づきフォーカス操作信号をボディーマウント４およびレンズマウント７９を介して、レンズマイコン４０に送信し、レンズマイコン４０からフォーカスレンズ群駆動制御部４１に指令を送ることで交換レンズユニット２のフォーカスレンズ群Ｌ２を至近側に移動させる。一方、図３（ｂ）において十字操作キー２７の操作部位２７ｂが操作されると、ボディーマイコン１０は、この操作に基づきフォーカス操作信号をボディーマウント４およびレンズマウント７９を介して、レンズマイコン４０に送信し、レンズマイコン４０からフォーカスレンズ群駆動制御部４１に指令を送ることで交換レンズユニット２のフォーカスレンズ群Ｌ２を無限遠側に移動させる。
【００４５】
ボディーマウント４は、交換レンズユニット２のレンズマウント７９と機械的および電気的に接続可能である。ボディーマウント４は、レンズマウント７９を介して、交換レンズユニット２との間で、データを送受信可能である。例えば、ボディーマウント４は、ボディーマイコン１０から受信した露光同期信号を、レンズマウント７９を介してレンズマイコン４０に送信する。また、ボディーマウント４は、ボディーマイコン１０から受信したその他の制御信号を、レンズマウント７９を介してレンズマイコン４０に送信する。また、ボディーマウント４は、レンズマウント７９を介してレンズマイコン４０から受信した信号をボディーマイコン１０に送信する。また、ボディーマウント４は、電源ユニット（図示せず）から供給された電力を、レンズマウント７９を介して交換レンズユニット２全体に供給する。
【００４６】
図３に示すように、カメラ本体３の筐体３ａは、被写体を撮影する際にユーザーによって支持される。筐体３ａの背面には、表示部２０と、電源スイッチ２５と、モード切換ダイアル２６と、十字操作キー２７と、ＭＥＮＵ設定ボタン２８と、ＳＥＴボタン２９と、ファインダ切換ボタン３４と、動画撮影操作ボタン３５と、が設けられている。
【００４７】
電源スイッチ２５は、カメラシステム１あるいはカメラ本体３の電源の入切を行うためのスイッチである。電源スイッチ２５により電源がＯＮ状態になると、カメラ本体３および交換レンズユニット２の各部に電源が供給される。モード切換ダイアル２６は、静止画撮影モード、動画撮影モードおよび再生モードを切り換えるためのダイアルであり、ユーザーはモード切換ダイアル２６を回転させてモードを切り換えることができる。モード切換ダイアル２６により静止画撮影モードが選択されると、撮影モードを静止画撮影モードへ切り換えることができ、モード切換ダイアル２６により動画撮影モードが選択されると、撮影モードを動画撮影モードへ切り換えることができる。動画撮影モードでは、基本的に動画撮影が可能となる。さらに、モード切換ダイアル２６により再生モードが選択されると、モードを再生モードへ切り換えることができ、表示部２０に撮影画像を表示させることができる。
【００４８】
ＭＥＮＵ設定ボタン２８は、カメラシステム１の各種動作を設定するためのボタンである。十字操作キー２７は、ユーザーが上下左右の部位を押圧して、表示部２０に表示された各種メニュー画面から所望のメニューを選択するための操作部材である。ＳＥＴボタン２９は、各種メニューの実行を確定するためのボタンである。ファインダ切換ボタン３４は、ファインダ撮影モードとモニタ撮影モードとを切り換えるボタンである（ファインダ撮影モードとモニタ撮影モードは後述する）。動画撮影操作ボタン３５は、動画撮影の開始および停止を指示するボタンであり、モード切換ダイアル２６において設定された撮影モードが静止画撮影モードまたは再生モードであっても、この動画撮影操作ボタン３５を押すことにより、モード切換ダイアル２６での設定内容に関係なく、強制的に動画撮影モードが開始される。さらに、動画撮影モードにおいて、この動画撮影操作ボタン３５を押すことにより、動画撮影が終了し、静止画撮影モード、あるいは再生モードへと移行する。
【００４９】
図３（ｂ）に示すように、筐体３ａの上面にはレリーズボタン３０が設けられる。レリーズボタン３０が操作されると、タイミング信号がボディーマイコン１０に出力される。レリーズボタン３０は、半押し操作および全押し操作が可能な２段式のスイッチであり、ユーザーがレリーズボタン３０を半押し操作すると測光処理および測距処理を開始する。また、この半押し操作により、ボディーマイコン１０およびレンズマイコン４０をはじめとする各部に電力が供給される。続いてユーザーがレリーズボタン３０を全押し操作するとボディーマイコン１０へタイミング信号が出力される。シャッター制御部３１は、タイミング信号を受信したボディーマイコン１０から出力される制御信号に従って、シャッター駆動モータ３２を駆動し、シャッターユニット３３を動作させる。
【００５０】
図２に示すように、静止画撮影モードでは、レリーズボタン３０の操作によるタイミング信号を受信したボディーマイコン１０は、ストロボ制御部４７に制御信号を出力する。そしてストロボ制御部４７は、制御信号に基づいてＬＥＤなどにて構成されるストロボ４８を発光させる。ストロボ４８は、撮像センサ１１が受光する光量に応じて制御される。すなわち、ストロボ制御部４７は、撮像センサ１１からの画像信号の出力が一定値以下の場合にはシャッター動作と連動して自動的に発光させる。一方、画像信号の出力が一定値以上の場合には、ストロボ制御部４７はストロボ４８を発光させないように制御する。
【００５１】
ストロボスイッチ４９は、上述の撮像センサ１１の出力に関係なくストロボ４８の動作を設定するための操作部である。すなわち、ストロボ制御部４７は、ストロボスイッチ４９が「入」の場合にはストロボ４８を発光させ、「切」の場合にはストロボ４８を発光させない。
【００５２】
また、動画撮影モードでは、レリーズボタン３０、あるいは動画撮影操作ボタン３５の操作により、ＬＥＤなどにて構成されるストロボ４８は、ビデオライトとしての機能を果たし、動画撮影中は被写体に向けて、光を照射する。
【００５３】
撮像センサ１１から出力された画像信号（静止画、あるいは動画）は、アナログ信号処理部１３から、Ａ／Ｄ変換部１４、デジタル信号処理部１５、バッファメモリ１６、画像圧縮部１７へと、順次送られて処理される。アナログ信号処理部１３は、撮像センサ１１から出力される画像信号にガンマ処理などのアナログ信号処理を施す。Ａ／Ｄ変換部１４は、アナログ信号処理部１３から出力されたアナログ信号をデジタル信号に変換する。デジタル信号処理部１５は、Ａ／Ｄ変換部１４によりデジタル信号に変換された画像信号に対してノイズ除去や輪郭強調などのデジタル信号処理を施す。バッファメモリ１６は、ＲＡＭであり、画像信号を一旦記憶する。
【００５４】
バッファメモリ１６に記憶された画像信号は、画像圧縮部１７から画像記録部１８へと、順次送られて処理される。バッファメモリ１６に記憶された画像信号は、画像記録制御部１９の指令により読み出されて、画像圧縮部１７に送信される。画像圧縮部１７に送信された画像信号のデータは、画像記録制御部１９の指令に従って圧縮処理される。画像信号は、この圧縮処理により、元のデータより小さなデータサイズになる。かかる圧縮方法として、静止画の場合には、例えばＪＰＥＧ（Joint Photographic Experts Group）方式が用いられる。また、動画の場合には、例えば、ＭＰＥＧ（Moving Picture Experts Group）方式が用いられる。圧縮された画像信号は、画像記録制御部１９により画像記録部１８に記録される。
【００５５】
画像記録部１８は、画像記録制御部１９の指令に基づいて、画像信号と記録すべき所定の情報とを関連付けて記録する、例えば内部メモリおよび／または着脱可能なリムーバブルメモリである。なお、画像信号とともに記録すべき所定の情報には、画像を撮影した際の日時と、焦点距離情報と、シャッタースピード情報と、絞り値情報と、撮影モード情報などとが含まれる。これらの情報の形式は、例えばＥｘｉｆ（登録商標）形式やＥｘｉｆ（登録商標）形式に類する形式などである。
【００５６】
表示部２０は、例えば液晶モニタであり、画像表示制御部２１からの指令に基づいて、画像記録部１８あるいはバッファメモリ１６に記録された画像信号を可視画像として表示する。ここで表示部２０の表示形態としては、画像信号のみを可視画像として表示する表示形態と、画像信号と撮影時の情報とを可視画像として表示する表示形態とがある。なお、表示部２０は、カメラ本体３の筐体３ａに対して、自由に角度を変更できる角度可変型のモニタであってもよい。
【００５７】
図１に示すように、クイックリターンミラー２３は、入射光を反射および透過可能なメインミラー２３ａと、メインミラー２３ａの背面側に設けられメインミラー２３ａからの透過光を反射するサブミラー２３ｂとから構成されており、クイックリターンミラー制御部３６により光軸ＡＺ外に跳ね上げが可能である。入射光は、メインミラー２３ａにより２つの光束に分割され、反射光束はファインダ光学系２２へ導かれる。一方、透過光束は、サブミラー２３ｂで反射されて、焦点検出ユニット５のＡＦ用光束として利用される。通常の撮影時には、クイックリターンミラー制御部３６により、クイックリターンミラー２３が光軸ＡＺ外に跳ね上げられるとともに、シャッターユニット３３が開かれて撮像センサ１１の撮像面上に被写体像が結像される。また非撮影時には、図１に示すようにクイックリターンミラー２３が光軸ＡＺ上に配置されるとともに、シャッターユニット３３は閉状態とされる。
【００５８】
ファインダ光学系２２は、被写体像が結像されるファインダスクリーン６と、被写体像を正立像に変換するペンタプリズム７と、被写体の正立像をファインダ接眼窓９に導く接眼レンズ８と、ユーザーが被写体像を観察するファインダ接眼窓９とから構成されている。
【００５９】
（１．２：交換レンズユニット）
図１に示すように、交換レンズユニット２は主に、カメラシステム１内の撮像センサ１１に被写体像を結ぶための撮像光学系Ｌと、撮影倍率を変更するズームレンズ群駆動制御部６１と、フォーカシングを行うフォーカスレンズ群駆動制御部４１と、絞りを調節する絞り駆動制御部４２と、交換レンズユニット２の動作を制御するレンズマイコン４０と、から構成されている。
【００６０】
ズームレンズ群駆動制御部６１は、撮影倍率を望遠側あるいは広角側に調整する第１レンズ群（以下、「ズームレンズ群」ともいう）Ｌ１を駆動制御する。フォーカスレンズ群駆動制御部４１は主に、フォーカスを調節する後述の第２レンズ群Ｌ２を駆動制御する。絞り駆動制御部４２は、主に絞りまたは開放を調節する絞り部４３を駆動制御する。
【００６１】
レンズマイコン４０は、交換レンズユニット２の中枢を司る制御装置であり、交換レンズユニット２に搭載された各部に接続されている。具体的には、レンズマイコン４０には、ＣＰＵ、ＲＯＭ、ＲＡＭが搭載されており、ＲＯＭに格納されたプログラムがＣＰＵに読み込まれることで、様々な機能を実現することができる。また、レンズマウント７９に設けられた電気切片（図示せず）を介してボディーマイコン１０およびレンズマイコン４０は電気的に接続されており、互いに情報の送受信が可能となっている。
【００６２】
また、交換レンズユニット２には、レンズ側フォーカス操作部であるフォーカスリング６７と、フォーカスリング６７の回転量と回転方向を検出する回転検出部６８を有している。フォーカスリング６７は、そのリングを回転操作することによりピント位置を無限遠側あるいは至近側に調整するリングである。フォーカスリング６７を操作することにより、回転検出部６８では無限遠側あるいは至近側に操作されたことを検出して、レンズマイコン４０にその操作情報を伝達する。レンズマイコン４０では、その操作情報が無限遠側に操作されていると検出した場合には、フォーカスレンズ群駆動制御部４１を介してフォーカスレンズ群Ｌ２を無限遠側に移動制御させる。一方、レンズマイコン４０で、その操作情報が至近側に操作されていると検出した場合には、フォーカスレンズ群駆動制御部４１を介してフォーカスレンズ群Ｌ２を至近側に移動制御させる。さらに、フォーカスレンズ群Ｌ２の移動に応じて変化する物点距離に関する情報は、レンズマイコン４０からレンズマウント７９、ボディーマウント４を介してボディーマイコン１０に送信される。
【００６３】
また、レンズマイコン４０内のメモリ４４には、交換レンズユニット２に関する各種情報（レンズ情報）が格納されている。この各種情報の具体的な内容については後述する。このメモリ４４に記憶されている各種情報は、撮影時に使用するために、交換レンズユニット２がカメラ本体３に取り付けられた際に、カメラ本体３側に送られる。
【００６４】
（１．３：交換レンズユニットに関する情報）
ここで、交換レンズユニット２に関する情報について説明する。レンズマイコン４０内のメモリ４４には、交換レンズユニット２に関する各種情報（レンズ情報）が格納されている。具体的には、交換レンズユニット２の焦点距離の最大値と最小値（焦点距離可変範囲）を示す焦点距離情報、あるいは物点距離情報などがメモリ４４に格納されている。
【００６５】
さらに、メモリ４４には、交換レンズユニット２が先述した動画撮影に対応しているか否かに関する情報が格納されている。この情報は、メモリ４４内の所定のアドレス（例えば、通常使用されていない予備のアドレスなど）に記録されている。
【００６６】
交換レンズユニット２が動画撮影に対応しているか否かの判断基準としては、例えば、フォーカスレンズ群としての第２レンズ群Ｌ２がウォブリング（微小往復振動）可能であるか否かが考えられる。第２レンズ群Ｌ２がガイドポールにより支持されており、超音波アクチュエータなどにより第２レンズ群Ｌ２がダイレクトに駆動される構成であれば、ウォブリング可能と判断できる。したがって、交換レンズユニット２が動画撮影に対応しているか否かに関する情報として、第２レンズ群Ｌ２の駆動方式も考えられる。
【００６７】
さらには、フォーカスレンズ群をウォブリングさせた際に、撮像センサ１１上での像の倍率変化量が所定値以下であるという構成も動画撮影に対応しているか否かの判断基準となり得る。このため、交換レンズユニット２が動画撮影に対応しているか否かに関する情報として、このような内容の情報も考えられる。
【００６８】
また、動画撮影に対応できるということは、交換レンズユニット２がコントラスト検出方式に対応していることを意味している。したがって、交換レンズユニット２が動画撮影に対応しているか否かに関する情報として、コントラスト検出方式に対応可能かどうかという内容の情報も考えられる。
【００６９】
さらには、交換レンズユニット２が電動マニュアルフォーカスに対応しているか否かに関する情報、そしてこの電動マニュアルフォーカスを操作するためのフォーカスリング６７を有しているか否かに関する情報もメモリ４４内に記憶されている。電動マニュアルフォーカスに対応している場合とは、フォーカスリング６７の回転操作に応じてフォーカスレンズ群駆動制御部４１によりフォーカスレンズ群Ｌ２が移動制御される構成になっている場合である。フォーカスレンズ群駆動制御部４１によりフォーカスレンズ群Ｌ２が移動する機能そのものは、オートフォーカス用にもともと備わっている機能であり、この機能をマニュアルフォーカス時にも切り換えて使用するものである。フォーカスレンズ群Ｌ２はステッピングモータ、ＤＣモータ、電磁リニアモータ、超音波モータなどで駆動される例が考えられ、フォーカスレンズ群駆動制御部４１はこれらのアクチュエータとアクチュエータに電力を供給して速度あるいは位置制御を行う回路で構成される。
【００７０】
これらの情報が交換レンズユニット２内に記憶されている場合には、交換レンズユニット２がカメラ本体３に取り付けられた際に、これらの情報はカメラ本体３側のボディーマイコン１０により取得され、動画撮影が可能であるか否か、電動マニュアルフォーカスに対応しているか否か、また、フォーカスリング６７を有しているか否かが判断される。また、超音波アクチュエータなどのフォーカスレンズ群駆動用アクチュエータの性能により、フォーカス速度、最小分解能などを個別に記憶し、カメラ本体３との組み合わせにより、最適なフォーカス性能を設定できるようにしてもよい。例えば、そのフォーカス性能に合わせて、カメラシステム１として、動画撮影時のフレームレート（３０ｆｐｓ、６０ｆｐｓなど）、記録画素数などを自動的に設定することもできる。
【００７１】
＜２：カメラシステムの動作＞
以下、上述のように構成されたカメラシステム１の撮影動作を説明する。
【００７２】
図４および図５は、カメラシステム１での撮像時の概念図であり、図４は本発明の第１実施形態におけるファインダ撮影モードを説明する図、図５は本発明の第１実施形態におけるモニタ撮影モード（画像表示撮影モード）を説明する図である。
【００７３】
（２．１：撮像前の状態）
図１、図４および図５に示すように、被写体（図示せず）からの光は、交換レンズユニット２を透過し、半透過ミラーであるメインミラー２３ａに入射する。メインミラー２３ａに入射した光の一部は反射してファインダスクリーン６に入射し、残りの光は透過してサブミラー２３ｂに入射する。ファインダスクリーン６に入射した光は被写体像として結像する。この被写体像は、ペンタプリズム７によって正立像に変換され接眼レンズ８に入射する。これにより、ユーザーは、ファインダ接眼窓９を介して被写体の正立像を観察できる。また、サブミラー２３ｂに入射した光は反射され、焦点検出ユニット５に入射する。
【００７４】
（２．２：ファインダ撮影モードおよびモニタ撮影モード）
このカメラシステム１は、２つの撮影モード、すなわちファインダ撮影モードおよびモニタ撮影モードを有する。ファインダ撮影モードは、ユーザーがファインダ接眼窓９を観察しながら撮影するモードであり、従来の一眼レフカメラにおける通常の撮影モードである。モニタ撮影モードは、液晶モニタなどの表示部２０をユーザーが観察しながら撮影するモードである。
【００７５】
ファインダ撮影モードにおいては、図４に示すように、クイックリターンミラー２３は、光軸ＡＺ内の所定位置に配置されており、被写体光は、ファインダ光学系２２に導かれるので、ユーザーは、ファインダ接眼窓９から被写体像を観察することができる。実際の撮影時には、クイックリターンミラー２３が光軸ＡＺ外に跳ね上げられるとともに、シャッターユニット３３が開かれて撮像センサ１１の撮像面上に被写体像が結像される。
【００７６】
一方、モニタ撮影モードにおいては、図５に示すように、クイックリターンミラー２３を光軸ＡＺ内から退避させる。よって、表示部２０には、撮像センサ１１を介して被写体の画像、いわゆるスルー画像が表示される。
【００７７】
（２．３：ファインダ撮影モードの動作）
カメラシステム１の撮影動作について説明する。図１〜図４を用いて、ユーザーがファインダ接眼窓９を覗いて撮影するファインダ撮影モードにおける駆動シーケンスについて説明する。
【００７８】
ファインダ撮影モードにおいて撮影する場合、ユーザーは、筐体３ａの背面に設けられたファインダ切換ボタン３４を操作して、撮影モードとしてファインダ撮影モードを選択する。
【００７９】
ユーザーのレリーズボタン３０の半押し動作により、カメラシステム１内のボディーマイコン１０および各種ユニットには、電源が供給される。電源供給により起動するカメラシステム１内のボディーマイコン１０は、同じく電源供給で起動する交換レンズユニット２内のレンズマイコン４０より、レンズマウント７９およびボディーマウント４を介して、各種レンズデータを受け取り、内蔵するメモリ３８に保存する。次に、ボディーマイコン１０は、焦点検出ユニット５より、焦点ずれ量（以後、「Ｄｆ量」という）を取得し、そのＤｆ量分、フォーカスレンズ群Ｌ２を駆動するようにレンズマイコン４０に指示する。レンズマイコン４０は、フォーカスレンズ群駆動制御部４１をコントロールして、Ｄｆ量分だけ第２レンズ群Ｌ２を動作させる。このように、焦点検出と第２レンズ群Ｌ２の駆動とを繰り返すうち、Ｄｆ量は小さくなり、所定量以下になったときにボディーマイコン１０により合焦と判断され、第２レンズ群Ｌ２の駆動が停止される。
【００８０】
この後、ボディーマイコン１０は、ユーザーによりレリーズボタン３０が全押しされると、レンズマイコン４０に対して、絞り値を図示しない測光センサからの出力に基づいて計算された絞り値にするよう指示する。そして、レンズマイコン４０は、絞り駆動制御部４２をコントロールし、指示された絞り値まで、絞りを絞り込む。絞り値の指示と同時にボディーマイコン１０は、クイックリターンミラー制御部３６により、クイックリターンミラー２３を光軸ＡＺ内から退避させる。クイックリターンミラー２３の退避完了後、撮像センサ駆動制御部１２は、撮像センサ１１の駆動を指示し、シャッターユニット３３の動作を指示する。なお、撮像センサ駆動制御部１２は、図示しない測光センサからの出力に基づいて計算されたシャッタースピードの時間だけ、撮像センサ１１を露光する。
【００８１】
露光完了後、撮像センサ駆動制御部１２により撮像センサ１１から読み出された画像データは、所定の画像処理を実行された後、表示部２０に撮影画像として表示される。また、撮像センサ１１から読み出され、所定の画像処理を実行された画像データは、画像記録部１８を介して、記憶媒体に画像データとして書き込まれる。また、露光終了後、クイックリターンミラー２３とシャッターユニット３３とは、初期位置にリセットされる。ボディーマイコン１０は、レンズマイコン４０へ、絞りを開放位置にリセットするよう指示し、レンズマイコン４０は、各ユニットに対してリセット命令を行う。リセット完了後、レンズマイコン４０は、ボディーマイコン１０にリセット完了を伝える。ボディーマイコン１０は、レンズマイコン４０からのリセット完了情報と露光後の一連処理の完了を待ち、その後、レリーズボタン３０の状態が、押し込みされていない状態であることを確認し、撮影シーケンスを終了させる。
【００８２】
（２．４：モニタ撮影モードの動作）
次に、図１〜図３および図５を用いて、ユーザーが表示部２０を用いて撮影するモニタ撮影モードにおける駆動シーケンスについて説明する。
【００８３】
表示部２０を用いて撮影する場合、ユーザーは、ファインダ切換ボタン３４を操作して、モニタ撮影モードを選択する。モニタ撮影モードに設定されると、ボディーマイコン１０は、クイックリターンミラー２３を光軸ＡＺ内から退避させる。これにより、被写体からの光が撮像センサ１１に達する。撮像センサ１１は、撮像センサ１１上に結像される被写体からの光を画像データに変換し、画像データとして取得し、出力することができる。撮像センサ駆動制御部１２により撮像センサ１１から読み出された画像データは、所定の画像処理を実行された後、表示部２０に撮影画像として表示される。このように、撮影画像を表示部２０に表示させることにより、ユーザーは、ファインダ接眼窓９を覗くことなく、被写体を追いかけることが可能となる。
【００８４】
また、このモニタ撮影モードについては、モード切換ダイアル２６により、動画撮影モードが選択された場合には、自動的にモニタ撮影モードへと移行する。さらに、動画撮影操作ボタン３５が押された場合にも、自動的にモニタ撮影モードへと移行する。さらには、ＬＣＤモニタなどの表示部２０が開閉式になっているカメラでは、ユーザーが表示部２０を開いた場合に自動的にモニタ撮影モードへ移行するようにしてもよい。
【００８５】
このモニタ撮影モードにおいては、その合焦方法として、焦点検出ユニット５を用いた位相差検出方式に代わり、撮像センサ１１で生成された画像データに基づいて、コントラスト方式のオートフォーカスが用いられる。表示部２０を用いたモニタ撮影モードにおけるオートフォーカス動作の方式としては、コントラスト方式を用いることにより、カメラシステムとして、精度の良いフォーカス動作を実現することができる。このモニタ撮影モードでは、定常的に、撮像センサ１１で画像データを生成しているので、従来の位相差検出方式に比べ、その画像データを用いたコントラスト方式のオートフォーカス動作をするのが容易である。
【００８６】
ここで、コントラスト方式を用いたオートフォーカス動作について説明する。
【００８７】
コントラスト方式のオートフォーカス動作を行う際には、ボディーマイコン１０は、レンズマイコン４０に対して、コントラストＡＦ用データを要求する。コントラストＡＦ用データは、コントラスト方式のオートフォーカス動作の際に必要なデータであり、例えば、フォーカス駆動速度、フォーカスシフト量、像倍率、コントラストＡＦ可否情報などが含まれる。
【００８８】
ボディーマイコン１０は、垂直同期信号を定期的に生成する。また、ボディーマイコン１０は、これと並行して、垂直同期信号に基づいて、露光同期信号を生成する。これは、ボディーマイコン１０が垂直同期信号を基準にして、露光開始タイミングと露光終了タイミングとを予め把握しているため、露光同期信号を生成できるのである。ボディーマイコン１０は、垂直同期信号をタイミング発生器（図示せず）に出力し、露光同期信号をレンズマイコン４０に出力する。レンズマイコン４０は、露光同期信号に同期して、第２レンズ群Ｌ２の位置情報を取得する。
【００８９】
撮像センサ駆動制御部１２は、垂直同期信号に基づいて、撮像センサ１１の読み出し信号と電子シャッター駆動信号とを定期的に生成する。撮像センサ駆動制御部１２は、読み出し信号および電子シャッター駆動信号に基づいて、撮像センサ１１を駆動する。すなわち、撮像センサ１１は、読み出し信号に応じて、撮像センサ１１内に多数存在する光電変換素子（図示せず）で生成された画素データを垂直転送部（図示せず）に読み出す。
【００９０】
静止画撮影モードの場合には、ユーザーのレリーズボタン３０の半押し動作により、カメラシステム１のボディーマイコン１０は、交換レンズユニット２内のレンズマイコン４０より、レンズマウント７９およびボディーマウント４を介して、各種レンズデータを受け取り、内蔵するメモリ３８に保存する。また、ボディーマイコン１０は、レンズマイコン４０に対して、オートフォーカス開始コマンドを発信する。レリーズボタン３０が半押しされた場合、オートフォーカス開始コマンドは、コントラスト方式のオートフォーカス動作を開始する旨を示すコマンドである。このコマンドに基づいて、レンズマイコン４０は、第２レンズ群Ｌ２を光軸ＡＺに沿った方向に駆動制御する。ボディーマイコン１０は、受信した画像データに基づいて、オートフォーカス動作用の評価値（以下、「ＡＦ評価値」という）を算出する。具体的には、撮像センサ１１で生成された画像データから輝度信号を求め、輝度信号の画面内における高周波成分を積算して、ＡＦ評価値を求める方法が知られている。この算出したＡＦ評価値は、露光同期信号と関連付けた状態でＤＲＡＭ（図示せず）に保存される。そして、レンズマイコン４０から取得したレンズ位置情報も露光同期信号と関連付けられている。そのため、ボディーマイコン１０は、ＡＦ評価値をレンズ位置情報と関連付けて保存することができる。
【００９１】
次に、ボディーマイコン１０は、ＤＲＡＭに保存されたＡＦ評価値に基づいて、コントラストピークを求め、合焦点を抽出できたかどうかを監視する。具体的には、ＡＦ評価値が極大値となる第２レンズ群Ｌ２の位置を合焦点として抽出する。このレンズ駆動の方式としては、一般的には山登り方式が知られている。
【００９２】
また、この状態では、カメラシステム１は、撮像センサ１１で生成した画像データが示す画像をスルー画像として表示部２０に表示する。このスルー画像が動画で表示部２０に表示されるので、ユーザーは、表示部２０を見ながら静止画を撮像するための構図を決めることができる。
【００９３】
この後、ボディーマイコン１０は、ユーザーによりレリーズボタン３０が全押しされると、レンズマイコン４０に対して、絞り値を不図示の測光センサからの出力に基づいて計算された絞り値にするよう指示する。そして、レンズマイコン４０は、絞り駆動制御部４２をコントロールし、指示された絞り値まで、絞りを絞り込む。撮像センサ駆動制御部１２は、撮像センサ１１の駆動を指示し、シャッターユニット３３の動作を指示する。なお、撮像センサ駆動制御部１２は、撮像センサ１１の出力より算出された所定のシャッタースピードの時間だけ、撮像センサ１１を露光する。
【００９４】
露光完了後、撮像センサ駆動制御部１２により撮像センサ１１から読み出された画像データは、所定の画像処理を実行された後、表示部２０に撮影画像として表示される。また、撮像センサ１１から読み出され、所定の画像処理を実行された画像データは、画像記録部１８を介して、記憶媒体に画像データとして書き込まれる。また、露光終了後、クイックリターンミラー２３は、光軸ＡＺ内から退避した状態に位置しているので、引き続き、ユーザーは、モニタ撮影モードにより、被写体を表示部２０上の撮影画像として見ることができる。
【００９５】
同様に、動画撮影モードの場合には、ユーザーのレリーズボタン３０の全押し動作により、動画記録を行うことが可能となる。また、いかなるモードであろうとも、動画撮影操作ボタン３５を押すことにより、動画記録を行うことが可能となる。さらには、交換レンズユニット２が動画撮影に対応している場合には、交換レンズユニット２をカメラ本体３に取り付けた際に、自動的に動画撮影モードへ移行するようにしてもよい。
【００９６】
また、モニタ撮影モードを解除する場合には、ユーザーが、ファインダ切換ボタン３４を操作して、ファインダ接眼窓９を覗いて撮影するファインダ撮影モードに移行させる。ファインダ撮影モードに移行された場合、クイックリターンミラー２３は、光軸ＡＺ内の所定位置に戻される。また、カメラシステム１本体の電源を切断する際にも、クイックリターンミラー２３は、光軸ＡＺ内の所定位置に戻される。
【００９７】
（２．５：フォーカシング動作）
次に、カメラシステム１のフォーカス動作について説明する。カメラシステム１は、オートフォーカス撮影モードと、マニュアル撮影モードとの２つのフォーカスモードを有する。また、マニュアル撮影モードには手動マニュアルと電動マニュアルの２種類がある。手動マニュアルは、フォーカスリングの回転に合わせてフォーカスレンズをメカニカルに移動させるものであり、電動マニュアルは、フォーカスリングの回転を一旦電気信号に変換し、この電気信号でモータなどを駆動してフォーカスレンズを移動させるものである。以下の説明では、マニュアルフォーカスとは電動マニュアルフォーカスを指すものとする。
【００９８】
ユーザーは、交換レンズユニット２、あるいはカメラ本体３に設けられたオート撮影モード、マニュアル撮影モード設定ボタン（図示せず）により、所定の撮影モードを設定する。
【００９９】
オート撮影モード時においては、レリーズボタン３０の半押し動作、あるいは動画撮影操作ボタン３５の操作に応じて、レンズマイコン４０は、フォーカスレンズ群駆動制御部４１へ制御信号を送信し、フォーカスレンズ群Ｌ２を微動させる。ボディーマイコン１０は、デジタル信号処理部１５へ指令を送信する。デジタル信号処理部１５は、受信した指令に基づいて所定のタイミングで画像信号をボディーマイコン１０へ送信する。ボディーマイコン１０は、受信した画像信号と、予めズームリング６４の回転検出部６５から受信した焦点距離情報とに基づいて、撮像光学系Ｌが合焦状態になる第２レンズ群Ｌ２の光軸ＡＺに沿った方向の移動量を演算する。ボディーマイコン１０は、演算結果に基づいて制御信号を生成する。ボディーマイコン１０は、制御信号をフォーカスレンズ群駆動制御部４１へ送信する。
【０１００】
フォーカスレンズ群駆動制御部４１は、ボディーマイコン１０からの制御信号に基づいて、フォーカスレンズ群Ｌ２を自動でＺ軸方向に移動させる。
【０１０１】
以上のようにして、カメラ本体３、あるいは交換レンズユニット２のオートフォーカス撮影モードによるフォーカシングが行われる。以上の動作は、ユーザーのレリーズボタン３０の半押し動作、あるいは動画撮影操作ボタン３５の操作実行後、瞬時に実行される。ユーザーがレリーズボタン３０を全押し動作する、あるいは動画撮影操作ボタン３５を操作すると、ボディーマイコン１０は、撮影処理を実行し、撮影が終了すると、画像記録制御部１９に制御信号を送信する。画像記録部１８は、画像記録制御部１９の指令に基づいて、画像信号を内部メモリおよび／またはリムーバブルメモリに記録する。画像記録部１８は、画像記録制御部１９の指令に基づいて、画像信号とともに撮影モードがオートフォーカス撮影モードである旨の情報を、内部メモリおよび／またはリムーバブルメモリに記録する。
【０１０２】
一方、マニュアルフォーカス撮影モード時には、レンズマイコン４０は、フォーカスリング６７の回転検出部６８へ、回転情報を要求する。レンズマイコン４０は、フォーカスリング６７の回転情報に基づいて、第２レンズ群Ｌ２を移動するための制御信号を生成する。レンズマイコン４０は、生成した制御信号をフォーカスレンズ群駆動制御部４１へ送信する。
【０１０３】
フォーカスレンズ群駆動制御部４１は、フォーカスリング６７の回転量および回転方向に応じて、レンズマイコン４０からの制御信号に基づいてフォーカスレンズ群Ｌ２をＺ軸方向に移動させる。
【０１０４】
以上のようにして、カメラシステム１のマニュアルフォーカスモードによるフォーカシングが行われる。マニュアルフォーカスモードにおいて、ユーザーがレリーズボタン３０を全押し操作する、あるいは動画撮影操作ボタン３５を操作すると、その状態のまま撮影が行われる。
【０１０５】
ボディーマイコン１０は、撮影が終了すると、画像記録制御部１９に制御信号を送信する。画像記録部１８は、画像記録制御部１９の指令に基づいて、画像信号を内部メモリおよび／またはリムーバブルメモリに記録する。画像記録部１８は、画像記録制御部１９の指令に基づいて、画像信号とともに撮影モードがマニュアルフォーカスモードである旨の情報を、内部メモリおよび／またはリムーバブルメモリに記録する。
【０１０６】
（２．６：フォーカス操作機能選択動作）
さて、フォーカスモードとしてオートフォーカスが選択された場合は問題ないが、交換レンズユニット２が電動マニュアルフォーカスに対応しており撮影時にマニュアルで合焦を行う場合でかつ、交換レンズユニット２側にも電動マニュアルフォーカスを操作するためのフォーカスリング６７を備えている場合には、カメラシステム１本体側の操作部を用いるか交換レンズユニット２側の操作部を用いるかという問題が発生する。
【０１０７】
次に、種々の交換レンズユニット２がカメラ本体３に取り付けられた場合のフォーカス操作機能選択の方法について図６、図７を用いて説明する。図６は本発明の第１実施形態におけるフォーカス機能選択の手順を示すフローチャートである。図７は本発明の第１実施形態におけるカメラ本体３の表示部２０の表示例であり、（ａ）は交換レンズユニット２が電動マニュアルフォーカスに対応した場合の表示例、（ｂ）は交換レンズユニット２が電動マニュアルフォーカスに対応していない場合の表示例を示す図である。図６に示すように、まず、カメラ本体３のボディーマイコン１０により、交換レンズユニット２が取り付けられたか否かが判断される（ステップＳ１）。交換レンズユニット２が取り付けられたと判断された場合、交換レンズユニット２のメモリ４４に格納されているレンズ情報がボディーマイコン１０より取得される（ステップＳ２）。取得されたレンズ情報に基づいて、ボディーマイコン１０により交換レンズユニット２が電動マニュアルフォーカス機能に対応しているか否かが判断される（ステップＳ３）。
【０１０８】
交換レンズユニット２が電動マニュアルフォーカス機能に対応している場合には、十字操作キー２７にフォーカス操作機能を割り付ける（ステップＳ４）。次に電動マニュアルフォーカス操作が有効である旨を表示させる（ステップＳ５）。ここでは、図７（ａ）に示すように、十字操作キー２７の操作部位２７ａの操作に至近側（５ｃｍ）の方向へピント位置を変更する機能を割り付けるとともに、表示部２０の表示状態２０ａに示すように至近側（５ｃｍ）への操作方向をボタン形状の表示で指し示す。一方、十字操作キー２７の操作部位２７ｂの操作に無限遠側（∞）の方向へピント位置を変更する機能を割り付けるとともに、表示部２０の表示状態２０ａに示すように無限遠側（∞）への操作方向を指し示すボタン形状をハイライト表示で指し示す。
【０１０９】
交換レンズユニット２が電動マニュアルフォーカス機能に対応していない場合には、十字操作キー２７にフォーカス操作機能の割り付けを無効にする（ステップＳ６）。次に電動マニュアルフォーカス操作が無効である旨を表示させる（ステップＳ７）。ここで、フォーカス操作機能選択処理を終了させる。ここでは、図７（ｂ）に示すように、十字操作キー２７のフォーカス操作機能を無効にされたことで、表示部２０の表示状態２０ｂに示すように至近側（５ｃｍ）および無限遠側（∞）への操作方向を指し示すボタン形状をグレイアウト表示（使用不可表示）させる。
【０１１０】
なお、ステップＳ７の処理ではフォーカス操作機能を無効である旨について表示するとしたが、非表示としてもよい。
【０１１１】
次に、電動マニュアルフォーカスに対応した交換レンズユニット２の場合には引き続き、交換レンズユニット２にフォーカスリング６７が有るか否かの判断処理を行う（ステップＳ８）。交換レンズユニット２にフォーカスリング６７がない場合には、フォーカス操作機能選択処理を終了させる。交換レンズユニット２にフォーカスリングが有る場合には、フォーカスリングを有効にする（ステップＳ９）。具体的には、先に説明したように、フォーカスリング６７を操作することにより、回転検出部６８では無限遠側あるいは至近側に操作されたことを検出して、レンズマイコン４０にその操作情報を伝達する。レンズマイコン４０では、その操作情報が無限遠側に操作されていると検出した場合には、フォーカスレンズ群駆動制御部４１を介してフォーカスレンズ群Ｌ２を無限遠側に移動制御させる。一方、レンズマイコン４０で、その操作情報が至近側に操作されていると検出した場合には、フォーカスレンズ群駆動制御部４１を介してフォーカスレンズ群Ｌ２を至近側に移動制御させる。さらに、フォーカスレンズ群Ｌ２の移動に応じて変化する物点距離に関する情報は、レンズマイコン４０からレンズマウント７９、ボディーマウント４を介してボディーマイコン１０に送信される。
【０１１２】
（２．７：フォーカス操作の選択動作）
カメラ本体３において、交換レンズユニット２に搭載されたフォーカスリング６７と、カメラ本体３に搭載された十字操作キー２７とのどちらを選択するかについて、カメラ本体３におけるボディーマイコン１０での処理を図８を用いて説明する。図８は、本発明の第１実施形態におけるカメラシステム１の交換レンズユニット２に搭載されたフォーカスリング６７と、カメラ本体３に搭載された十字操作キー２７とのどちらを選択させるかという処理について具体的な動作フローを示すフローチャートである。
【０１１３】
図８に示すように、ユーザーは、まず筐体３ａの背面に設けられたファインダ切換ボタン３４を操作して、ファインダ撮影モード（以下、「ＥＶＦモード」ともいう）として撮影する場合、あるいは、モニタ撮影モード（以下、「ＬＣＤモード」ともいう）として撮影する場合を選択する（ステップＳ１１）。ＥＶＦモードが選択された場合には、ステップＳ１２に処理を進める。一方、ＬＣＤモードが選択された場合には、ステップＳ１４に処理を進める。
【０１１４】
ＥＶＦモードが選択された場合には、交換レンズユニット２に搭載されたフォーカスリング６７を有効にする（ステップＳ１２）。次に、フォーカスリング６７が有効である旨を、例えば表示部２０に表示させて（ステップＳ１３）、処理を終了する。ＬＣＤモードが選択された場合には、カメラ本体３に搭載された十字操作キー２７を有効にする（ステップＳ１４）。次に、十字操作キー２７が有効である旨を、例えば表示部２０に表示させて（ステップＳ１５）、処理を終了する。
【０１１５】
以上のように、カメラ本体３は、交換レンズユニット２とカメラ本体３の双方にフォーカス操作機能付いている場合に、撮影モードがＥＶＦモードかＬＣＤモードかによって交換レンズユニット２側のフォーカスリング６７を選択するか、カメラ本体３側の十字操作キー２７を選択するかについて判断処理を行う。
【０１１６】
以上、説明したように本発明の第１実施形態では、ＥＶＦモードのようにファインダ接眼窓９にユーザーが接眼しながら撮影する条件では、交換レンズユニット２側に搭載されたフォーカスリング６７を選択して、フォーカス操作を行うように設定する。ＥＶＦモードでは、例えばカメラ本体３を右手で支え、左手で交換レンズユニット２を支える状態になるので、左手で交換レンズユニット２を支えながら安定した状態で交換レンズユニット２側のフォーカスリング６７を操作してフォーカス操作を行うことが可能になる。一方、ＬＣＤモードのようにカメラ本体３から目を離して、表示部２０を見ながら撮影する条件では、カメラ本体３側に搭載された十字操作キー２７を選択して、フォーカス操作を行うように設定する。ＬＣＤモードではカメラ本体３から目を離して撮影する関係で、左右の手は交換レンズユニット２には掛からず、カメラ本体３を両手でホールドする状態になるので、右手でカメラ本体３を支えながら安定した状態でカメラ本体３側の十字操作キー２７を操作してフォーカス操作を行うことが可能になる。
【０１１７】
なお、上記説明では、筐体３ａの背面に設けられたファインダ切換ボタン３４をユーザーが操作して、ＥＶＦモードかＬＣＤモードかを選択するようにしているが、撮影モードの選択のやり方はこれに限定されるものではない。例えば、ファインダ接眼窓９の近傍にユーザーが接眼したか否かを検出する接眼検出部（図示せず）を備え、この接眼検出部からの情報に基づいて上記撮影モードを切り換えるようにしてもよい。このようにすることにより、ユーザーが撮影モードを手動で選択する必要がないので、ＬＣＤモードで撮影していて急にＥＶＦモードに切り換えたい場合にも迅速な切換が可能となる。
【０１１８】
（２．８：レンズ側のフォーカスリングと本体側のフォーカス用操作キーの選択動作）
ここでは、電動マニュアルフォーカスに対応し、かつフォーカスリング６７を有する交換レンズユニット２をカメラ本体３に装着した場合のレンズ側およびカメラ本体側のフォーカス操作キーの選択動作について説明する。
【０１１９】
ユーザーがピント位置を変更する際に、交換レンズユニット２に搭載されたフォーカスリング６７を操作してピント位置を変更する場合とカメラ本体３に搭載された十字操作キー２７（フォーカス操作機能割り付け）を操作してピント位置を変更する場合が考えられる。この際に、双方のフォーカス用の操作部を同時に操作した場合に、フォーカス機能が競合し、システムが破綻してしまう。そこで、双方のフォーカス用の操作部を同時に操作した場合においてもフォーカス機能がシステムを破綻させることなくフォーカス操作機能を安定に動作させる手法について以下に説明する。
【０１２０】
まず、カメラ本体３に搭載される十字操作キー２７を優先する場合を図９を用いて説明する。図９は本発明の第１実施形態における電動マニュアルフォーカス機能のフォーカス操作部選択に関するカメラ本体３の処理フローチャート（十字操作キー２７優先）である。図９に示すように、まず、カメラ本体３のボディーマイコン１０により、十字操作キー２７でのフォーカス操作が行われているか否かを判定する（ステップＳ２１）。十字操作キー２７でのフォーカス操作が行われていると判定された場合には十字操作キー２７のフォーカス操作によりフォーカス動作を行う（ステップＳ２３）。この後、ステップＳ２１の処理に戻るが、十字操作キー２７でのフォーカス操作がユーザーにより継続されている（操作キーが押し続けられている、あるいは一旦操作キーを押したら所定のピント位置までフォーカスレンズ群Ｌ２を移動し続けているなど）場合にはステップＳ２１、Ｓ２３の処理が繰り返される。この一連の処理は、例えば１ｍｓ間隔で処理されるループ処理で実行される。
【０１２１】
ステップＳ２１の処理で、十字操作キー２７でのフォーカス操作が行われていないと判定された場合には、交換レンズユニット２に搭載されるフォーカスリング６７でのフォーカス操作が行われているか否かを判定する（ステップＳ２２）。フォーカスリング６７でのフォーカス操作が行われていると検出された場合には、フォーカスリング６７のフォーカス操作によりフォーカス動作を行う（ステップＳ２４）。この後、ステップＳ２１の処理に戻るが、十字操作キー２７ではなく、フォーカスリング６７でのフォーカス操作がユーザーにより継続されている（フォーカスリングが回し押し続けられている、あるいは一旦フォーカスリングをある回転角度まで回したら所定のピント位置までフォーカスレンズ群Ｌ２を移動し続けているなど）場合にはステップＳ２１、Ｓ２２、Ｓ２４の処理が繰り返される。この一連の処理は、例えば１ｍｓ間隔で処理されるループ処理で実行される。
【０１２２】
ステップＳ２２の処理で、フォーカスリング６７でのフォーカス操作が行われていない、すなわち、十字操作キー２７およびフォーカスリング６７のいずれも操作されていないと判定された場合には、フォーカス動作を停止させる（ステップＳ２５）。なお、先に述べたようにフォーカス操作機能が割り付けられた十字操作キー２７あるいはフォーカスリング６７を一旦ある回転角度まで回したら所定のピント位置までフォーカスレンズ群Ｌ２を移動し続けている場合には処理が完了するまではフォーカス動作を継続させる例外処理を実行させてもよい。ステップＳ２１、Ｓ２２、Ｓ２５の処理が繰り返された場合にも、この一連の処理は、例えば１ｍｓ間隔で処理されるループ処理で実行される。
【０１２３】
図９を用いて説明したように、ユーザーがピント位置を変更する際に、交換レンズユニット２に搭載されたフォーカスリング６７を操作してピント位置を変更する場合とカメラ本体３に搭載された十字操作キー２７（フォーカス操作機能割り付け）を操作してピント位置を変更する場合においても、レンズ側と本体側のフォーカス操作機能が競合することなく、双方のフォーカス用の操作部を同時に操作した場合においてもフォーカス操作機能を安定に動作させることが可能となる。特にここでは、カメラ本体３に搭載された十字操作キー２７（フォーカス操作機能割り付け）を優先的にフォーカス操作用として動作させる場合で説明した。したがって、十字操作キー２７でフォーカス操作中には交換レンズユニット２のフォーカスリング６７でフォーカス操作を行っても、十字操作キー２７の操作が優先される。
【０１２４】
次に、交換レンズユニット２に搭載されたフォーカスリング６７を優先する場合を図１０を用いて説明する。図１０は本発明の第１実施形態における電動マニュアルフォーカス機能のフォーカス操作部選択に関するカメラ本体の処理フローチャート（フォーカスリング６７優先）である。図１０に示すように、まず、カメラ本体３のボディーマイコン１０により、交換レンズユニット２のフォーカスリング６７でのフォーカス操作が行われているか否かを判定する（ステップＳ３１）。フォーカスリング６７でのフォーカス操作が行われていると判定された場合にはフォーカスリング６７のフォーカス操作によりフォーカス動作を行う（ステップＳ３３）。この後、ステップＳ３１の処理に戻るが、フォーカスリング６７でのフォーカス操作がユーザーにより継続されている（フォーカスリングが回し押し続けられている、あるいは一旦フォーカスリングをある回転角度まで回したら所定のピント位置までフォーカスレンズ群Ｌ２を移動し続けているなど）場合にはステップＳ３１、Ｓ３３の処理が繰り返される。この一連の処理は、例えば１ｍｓ間隔で処理されるループ処理で実行される。
【０１２５】
ステップＳ３１の処理で、フォーカスリング６７でのフォーカス操作が行われていないと判定された場合には、カメラ本体３に搭載される十字操作キー２７（フォーカス操作機能割り付け）でのフォーカス操作が行われているか否かを判定する（ステップＳ３２）。十字操作キー２７でのフォーカス操作が行われていると検出された場合には、十字操作キー２７のフォーカス操作によりフォーカス動作を行う（ステップＳ３４）。この後、ステップＳ３１の処理に戻るが、フォーカスリング６７ではなく、十字操作キー２７でのフォーカス操作がユーザーにより継続されている（操作レバーが押し続けられている、あるいは一旦操作レバーを押したら所定のピント位置までフォーカスレンズ群Ｌ２を移動し続けているなど）場合にはステップＳ３１、Ｓ３２、Ｓ３４の処理が繰り返される。この一連の処理は、例えば１ｍｓ間隔で処理されるループ処理で実行される。
【０１２６】
ステップＳ３２の処理で、十字操作キー２７でのフォーカス操作が行われていない、すなわち、十字操作キー２７およびフォーカスリング６７のいずれも操作されていないと判定された場合には、フォーカス動作を停止させる（ステップＳ３５）。なお、先に述べたようにフォーカス操作機能が割り付けられた十字操作キー２７あるいはフォーカスリング６７を一旦押したら所定のピント位置までフォーカスレンズ群Ｌ２を移動し続けている場合には処理が完了するまではフォーカス動作を継続させる例外処理を実行させてもよい。ステップＳ３１、Ｓ３２、Ｓ３５の処理が繰り返された場合にも、この一連の処理は、例えば１ｍｓ間隔で処理されるループ処理で実行する。
【０１２７】
図１０を用いて説明したように、ユーザーがピント位置を変更する際に、交換レンズユニット２に搭載されたフォーカスリング６７を操作してピント位置を変更する場合とカメラ本体３に搭載された十字操作キー２７（フォーカス操作機能割り付け）を操作してピント位置を変更する場合においても、レンズ側と本体側のフォーカス操作機能が競合することなく、双方のフォーカス用の操作部を同時に操作した場合においてもフォーカス操作機能を安定に動作させることが可能となる。特にここでは、交換レンズユニット２に搭載されたフォーカスリング６７を優先的にフォーカス操作用として動作させる場合で説明した。したがって、交換レンズユニット２のフォーカスリング６７でフォーカス操作中にはカメラ本体３の十字操作キー２７（フォーカス操作機能割り付け）でフォーカス操作を行っても、フォーカスリング６７の操作が優先される。
【０１２８】
以上のように、電動マニュアルフォーカス機能を搭載し、フォーカスリングを有する交換レンズユニット２が、フォーカス操作キーを有するカメラ本体３と接続された場合に、カメラ本体３側フォーカス操作部およびレンズ側フォーカス操作部のどちらか一方を、先に操作された操作部を優先してフォーカス操作部材として機能させることで、フォーカスリングとフォーカス操作キー競合してシステムを破綻させることなく、フォーカス操作の利便性を向上させることができる。
【０１２９】
（２．９：ズーム操作およびフォーカス操作）
次に、ユーザーがズーム操作およびフォーカス操作を行う際の交換レンズユニット２の動作を図１および図１１を用いて説明する。図１１は本発明の第１実施形態においてフォーカスリング６７をレンズ側操作部として搭載した交換レンズユニット２を装着したカメラシステム１の概略斜視図である。
【０１３０】
図１１に示すように、ユーザーによりズームリング６４が操作されると回転検出部６５にてズームリング６４が望遠側にズーム操作されたか広角側にズーム操作されたかを検出して、レンズマイコン４０はこの検出結果に基づいて望遠側にズーム操作された場合にはズームレンズ群駆動制御部６１を介してズームレンズ群Ｌ１を望遠側に移動制御させ、広角側にズーム操作された場合にはズームレンズ群駆動制御部６１を介してズームレンズ群Ｌ１を広角側に移動制御させる。
【０１３１】
ユーザーによりフォーカスリング６７が回転操作されると、回転検出部６８はフォーカスリング６７の回転量と回転方向を検出し、その検出結果に応じた信号を出力する。レンズマイコン４０は、フォーカスリング回転信号に基づいて、フォーカスレンズ群駆動制御部４１にフォーカスレンズ群Ｌ２を駆動する駆動信号を伝達する。フォーカスリング６７の回転方向が無限遠側に回転操作されたことを回転検出部６８が検出した場合には、レンズマイコン４０はこの検出結果に基づいてフォーカスレンズ群駆動制御部４１を介してフォーカスレンズ群Ｌ２を無限遠側に移動制御させる。フォーカスリング６７の回転方向が至近側に回転操作されたことを回転検出部６８が検出した場合には、レンズマイコン４０はこの検出結果に基づいてフォーカスレンズ群駆動制御部４１を介してフォーカスレンズ群Ｌ２を至近側に移動制御させる。
【０１３２】
なお、電動マニュアルフォーカス操作のためのレンズ側操作部としては図１２に示すような押圧式の操作レバーでもよい。このフォーカス操作レバー６９の動作を図１２および図１３を用いて説明する。図１２は本発明の第１実施形態においてフォーカス操作レバー６９をレンズ側操作部として搭載した交換レンズユニット２を装着したカメラシステム１の概略斜視図である。図１３は本発明の第１実施形態においてフォーカス操作レバー６９をレンズ側操作部として搭載した交換レンズユニット２を装着したカメラシステム１のブロック構成図である。この場合は、フォーカス操作レバー６９の操作方向はフォーカス操作レバー検出部７０で検出される。レンズマイコン４０はこの検出結果に基づいてフォーカスレンズ群駆動制御部４１を介してフォーカスレンズ群Ｌ２を移動制御させる。図１２に示すように、ユーザーによりフォーカス操作レバー６９が操作されるとフォーカス操作レバー検出部７０にてフォーカス操作レバー６９が無限遠側（６９Ｆ）に操作したか至近側（６９Ｎ）に操作したかの操作方向を検出して、レンズマイコン４０はこの検出結果に基づいて無限遠側に操作した場合にはフォーカスレンズ群駆動制御部４１を介してフォーカスレンズ群Ｌ２を無限遠側に移動制御させ、至近側に操作した場合にはフォーカスレンズ群駆動制御部４１を介してフォーカスレンズ群Ｌ２を至近側に移動制御させる。なお、図１２、図１３ともにその他の構成はそれぞれ図１１、図１と同じであるので対応する構成には同じ符号を付して説明は省略する。
【０１３３】
＜３：カメラシステムの特徴＞
以上に説明したように、このカメラシステム１では、電動マニュアルフォーカス機能を搭載し、フォーカス操作部を有する交換レンズが、フォーカス操作部を有するカメラ本体と接続された場合に、本体側フォーカス操作部およびレンズ側フォーカス操作部のどちらか一方をフォーカス操作部材として機能させるので、交換レンズおよびカメラ本体のフォーカス操作部が競合してシステムを破綻させることなく、フォーカス操作の利便性を向上させることができる。すなわち、カメラシステム１の利便性を高めることができる。
【０１３４】
また、電動マニュアルフォーカス機能が非搭載の交換レンズが、フォーカス操作部を有するカメラ本体と接続された場合に、本体側操作部のフォーカス操作機能を解除させる、あるいはフォーカス操作とは異なる操作機能を割り付けることで、電動マニュアルフォーカス機能が搭載された交換レンズと電動マニュアルフォーカス機能が非搭載の交換レンズとのいずれがカメラ本体に装着されてもシステムを破綻させることなく、フォーカス操作の利便性を向上させることができる。
【０１３５】
さらにまた、ファインダに接眼して撮影を行う際には、本体側フォーカス操作部の機能を無効にし、ファインダに接眼しないでカメラ本体の背面のモニタ画像を見ながら撮影を行う際には、レンズ側フォーカス操作部の機能を有効にしてモニタ画面上にもその旨を表示させることにより、撮影の形態に適したマニュアルフォーカス機能が割り当てられるのでマニュアルフォーカス操作の利便性を向上させることができる。
【０１３６】
さらにまた、電動マニュアルフォーカス機能を搭載し、フォーカス操作部を有する交換レンズが、フォーカス操作部を有するカメラ本体と接続された場合に、本体側フォーカス操作部およびレンズ側フォーカス操作部のどちらか一方を、先に操作された操作部を優先してフォーカス操作部材として機能させることで、フォーカス操作部が競合してシステムを破綻させることなく、ズーム操作の利便性を向上させることができる。
【０１３７】
さらにまた、本体側操作部の操作にフォーカシング以外の操作を割り当てた場合や、本体側操作部の操作が無効になった場合は、ＬＣＤモニタなどに表示された本体側操作部の操作状態を表す表示内容を変更させることにより、ユーザーに本体側操作部の現在の状態を視覚的に認識させることができるのでカメラシステムの操作の利便性を向上させることができる。
【０１３８】
なお、本発明の第１実施形態では、交換レンズユニット２に電動マニュアルフォーカス用のフォーカスリング６７が搭載されている例を説明したが、この電動マニュアルフォーカス用のフォーカス操作部としては、リング状構造ではなく無限遠側と至近側の２方向の操作が可能な操作レバーを備えることにより電動マニュアルフォーカスを機能させるように構成することも可能である。
【０１３９】
また、本実施の形態では、電動マニュアルフォーカス機能を搭載し、フォーカス操作部を有する交換レンズが、フォーカス操作部を有するカメラ本体と接続された場合に、本体側フォーカス操作部およびレンズ側フォーカス操作部のどちらか一方を選択する処理を自動で行うような例で説明したが、これに係らず手動で本体側フォーカス操作部およびレンズ側フォーカス操作部のどちらか一方を選択するように構成してもよい。具体的には、交換レンズユニット側あるいはカメラ本体側のいずれか、あるいは双方に切換スイッチを設けて、手動で選択するように構成してもよい。
【０１４０】
〔第２実施形態〕
本発明の第１実施形態では、クイックリターンミラー２３が採用されている。しかし、コントラスト検出方式によりフォーカシングが可能である場合、クイックリターンミラー２３を省略することができる。図１４を用いて本発明の第２実施形態におけるカメラシステム１Ａについて説明する。図１４は本発明の第２実施形態におけるカメラシステム１Ａの構成を示すブロック図である。図１に示す構成と実質的に同一の機能を有する構成については、同一符号を付すとともに、その説明は省略する。
【０１４１】
＜１：カメラシステムの全体構成＞
図１４において、カメラシステム１Ａは、交換レンズ式のデジタル一眼レフカメラのシステムであり、主に、カメラシステム１Ａの主要な機能を有するカメラ本体３Ａと、カメラ本体３Ａに取り外し可能に装着された交換レンズユニット２と、から構成されている。交換レンズユニット２は、最後部に設けられたレンズマウント７９を介して、カメラ本体３Ａの前面に設けられたボディーマウント４に装着されている。
【０１４２】
図１４に示すカメラ本体３Ａは、図１に示すカメラ本体３に比べて、撮像部７１からの入射光をファインダ光学系２２および焦点検出ユニット５に導くクイックリターンミラー２３が省略されており、その代わりに、液晶ファインダなどの電子ファインダ部９５が設けられている。この電子ファインダ部９５には、表示部２０と同様に、画像表示制御部２１からの指令に基づいて、画像記録部１８あるいはバッファメモリ１６に記録された画像信号を可視画像として表示することができる。これにより、クイックリターンミラー２３が搭載されていなくても、撮像光学系Ｌにより形成された被写体の光学像を、ファインダ接眼窓９を通して観察することが可能となる。
【０１４３】
この場合、カメラ本体３Ａは、ファインダ光学系２２およびクイックリターンミラー２３を省略することにより、カメラ本体３Ａの光軸ＡＺ方向における薄型化を図ることができる。さらには、交換レンズユニット２の最後部にあるレンズから撮像センサ１１までの距離（レンズバック）を短くできるため、交換レンズユニット２の小型化を図ることが可能となる。
【０１４４】
また、交換レンズユニット２が動画撮影に対応している場合、図１４におけるカメラ本体３Ａにおいては、その焦点検出方式として、常に撮像センサ１１で生成された画像データに基づいたコントラスト方式を用いることができる。これにより、精度の良いフォーカス動作を実現することができる。さらには、クイックリターンミラー２３の開閉動作が不必要となるため、フォーカス動作の高速化、静音化などを図ることができ、静止画撮影のみならず、動画撮影にも容易に対応することが可能となる。
【０１４５】
また、交換レンズユニット２は、電動マニュアルフォーカスに対応している。フォーカスレンズ群駆動制御部４１によりフォーカスレンズ群Ｌ２が移動制御される構成になっている。フォーカスレンズ群Ｌ２はステッピングモータ、ＤＣモータ、電磁リニアモータ、超音波モータなどで駆動される例が考えられ、フォーカスレンズ群駆動制御部４１はこれらのアクチュエータとアクチュエータに電力を供給して速度あるいは位置制御を行う回路で構成される。交換レンズユニット２には、フォーカスリング６７と、回転検出部６８を有している。フォーカスリング６７は先述したように、そのリングを回転操作することによりピント位置を無限遠側あるいは至近側に調整するリングである。フォーカスリング６７を操作することにより、回転検出部６８にて無限遠側あるいは至近側に操作されたことを検出して、レンズマイコン４０にその操作情報を伝達する。レンズマイコン４０では、その操作情報が無限遠側に操作されていると検出した場合には、フォーカスレンズ群駆動制御部４１を介してフォーカスレンズ群Ｌ２を無限遠側に移動制御させる。一方、レンズマイコン４０で、その操作情報が至近側に操作されていると検出した場合には、フォーカスレンズ群駆動制御部４１を介してフォーカスレンズ群Ｌ２を至近側に移動制御させる。
【０１４６】
＜２：カメラシステムの特徴＞
以上に説明したように、このカメラシステム１Ａでもカメラシステム１と同様に、図６の動作フローに従ってファインダ撮影モードとモニタ撮影モードの選択処理を行うことが可能である。
【０１４７】
電動マニュアルフォーカス機能を搭載し、フォーカス操作部を有する交換レンズが、フォーカス操作部を有するカメラ本体と接続された場合には、本体側フォーカス操作部およびレンズ側フォーカス操作部のどちらか一方をフォーカス操作部材として機能させることができる。したがって、交換レンズユニット２およびカメラ本体３Ａのフォーカス操作部が競合してシステムを破綻させることなく、フォーカス操作の利便性を向上させることができる。すなわち、カメラシステム１Ａの利便性を高めることができる。
【０１４８】
さらにまた、カメラシステム１と同様に、電動マニュアルフォーカス機能が非搭載の交換レンズが、フォーカス操作部を有するカメラ本体と接続された場合に、本体側操作部のフォーカス操作機能を解除させる、あるいはフォーカス操作以外の操作機能を割り付けることで、電動マニュアルフォーカス機能が搭載された交換レンズと電動マニュアルフォーカス機能が非搭載の交換レンズとのいずれがカメラ本体３Ａに装着されてもシステムを破綻させることなく、ズーム操作の利便性を向上させることができる。
【０１４９】
さらにまた、カメラシステム１と同様に、ファインダに接眼して撮影を行う際には、本体側フォーカス操作機能を無効にし、ファインダに接眼しないでカメラ本体の背面のモニタ画像を見ながら撮影を行う際には、本体側フォーカス操作機能を有効にしてモニタ画面上にもその旨を表示させることにより、撮影の形態に適したマニュアルフォーカス機能が割り当てられるのでマニュアルフォーカス操作の利便性を向上させることができる。
【０１５０】
さらにまた、カメラシステム１と同様に、電動マニュアルフォーカス機能を搭載し、フォーカス操作部を有する交換レンズが、フォーカス操作部を有するカメラ本体と接続された場合に、本体側フォーカス操作部およびレンズ側フォーカス操作部のどちらか一方を、先に操作された操作部を優先してフォーカス操作部材として機能させることで、フォーカス操作部が競合してシステムを破綻させることなく、マニュアルフォーカス操作の利便性を向上させることができる。
【０１５１】
さらにまた、本体側操作部の操作にマニュアルフォーカス以外の操作を割り当てた場合や、本体側操作部の操作が無効になった場合は、ＬＣＤモニタなどに表示された本体側操作部の操作状態を表す表示内容を変更させることにより、ユーザーに本体側操作部の現在の状態を視覚的に認識させることができるのでカメラシステムの操作の利便性を向上させることができる。
【０１５２】
なお、本実施の形態では、交換レンズユニットに電動マニュアルフォーカス用のフォーカス操作部が搭載されている例を説明したが、この電動マニュアルフォーカス用のフォーカス操作部を搭載しかつ手動マニュアルフォーカス機能を有し、フォーカスリングを操作することにより手動マニュアルフォーカスを機能させるように構成することも可能である。
【０１５３】
また、本実施の形態では、電動マニュアルフォーカス機能を搭載し、フォーカス操作部を有する交換レンズが、フォーカス操作部を有するカメラ本体と接続された場合に、本体側フォーカス操作部およびレンズ側フォーカス操作部のどちらか一方を選択する処理を自動で行うような例で説明したが、これに係らず手動で本体側フォーカス操作部およびレンズ側フォーカス操作部のどちらか一方を選択するように構成してもよい。具体的には、交換レンズユニット側あるいはカメラ本体側のいずれか、あるいは双方に切換スイッチを設けて、手動で選択するように構成してもよい。
【０１５４】
〔他の実施形態〕
（１）
本実施の形態においては、交換レンズユニット２の動画撮影可否の情報に基づき、表示部を用いて、動画撮影用の各種設定メニューを設定できるようにしてもよい。
【０１５５】
（２）
像ブレ補正ユニットが交換レンズユニット２およびカメラ本体３内のいずれか、あるいはその両方に設けられていてもよい。この場合、いずれかの像ブレ補正ユニットを選択できるようなカメラシステムであってもよい。
【０１５６】
（３）
本実施の形態では、シャッターを動作させることにより撮像センサへの露光時間を制御したが、これに限らず、電子シャッターなどにより撮像センサの露光時間を制御してもよい。
【０１５７】
（４）
本実施の形態では、レンズ情報に動画撮影に対応しているか否かの情報が含まれている。しかし、動画撮影に対応しているか否かは、フォーカスレンズ群の駆動方式あるいはフォーカスレンズ群駆動制御部４１などがコントラスト検出方式に対応しているか否かなどにより判断されてもよい。なお、フォーカスレンズ群の駆動方式については、ステッピングモータやリニアアクチュエータ（電磁方式あるいは圧電方式）を用いてフォーカスレンズ群をダイレクトに駆動する方式か否かを判断することが考えられる。
【０１５８】
（５）
本実施の形態では、交換レンズユニット２は動画撮影に対応している。しかし、前述のように交換レンズユニットが動画撮影に対応していない場合もあり得る。
【産業上の利用可能性】
【０１５９】
本発明は、電動マニュアルフォーカスに対応した交換レンズを装着可能なカメラシステムに広く適用可能である。
【図面の簡単な説明】
【０１６０】
【図１】本発明の第１実施形態におけるカメラシステムの構成を示すブロック図（交換レンズユニットがフォーカスリングを搭載した場合）
【図２】本発明の第１実施形態におけるカメラ本体の構成を示すブロック図
【図３】本発明の第１実施形態におけるカメラ本体の概観図であり、（ａ）カメラ本体を上から見た図、（ｂ）カメラ本体の背面から見た図
【図４】本発明の第１実施形態におけるファインダ撮影モードを説明する図
【図５】本発明の第１実施形態におけるモニタ撮影モードを説明する図
【図６】本発明の第１実施形態におけるフォーカス機能選択の手順を示すフローチャート
【図７】本発明の第１実施形態におけるカメラ本体の表示部の表示例を示す図であり、（ａ）交換レンズユニットが電動マニュアルフォーカスに対応した場合の表示例を示す図、（ｂ）交換レンズユニットが電動マニュアルフォーカスに対応していない場合の表示例を示す図
【図８】本発明の第１実施形態におけるカメラシステムの交換レンズユニットに搭載されたフォーカスリングと、カメラ本体に搭載された十字操作キーとのどちらを選択させるかという処理について具体的な動作フローを示すフローチャート
【図９】本発明の第１実施形態における電動マニュアルフォーカス機能のフォーカス操作部選択に関するカメラ本体の処理フローチャート（十字操作キー優先）
【図１０】本発明の第１実施形態における電動マニュアルフォーカス機能のフォーカス操作部選択に関するカメラ本体の処理フローチャート（フォーカスリング優先）
【図１１】本発明の第１実施形態においてフォーカスリングをレンズ側操作部として搭載した交換レンズユニットを装着したカメラシステムの概略斜視図
【図１２】本発明の第１実施形態においてフォーカス操作レバーをレンズ側操作部として搭載した交換レンズユニットを装着したカメラシステムの概略斜視図
【図１３】本発明の第１実施形態においてフォーカス操作レバーをレンズ側操作部として搭載した交換レンズユニットを装着したカメラシステムのブロック図
【図１４】本発明の第２実施形態におけるカメラシステムの構成を示すブロック図
【符号の説明】
【０１６１】
１    カメラシステム
２    交換レンズユニット（レンズ鏡筒）
３    カメラ本体
３ａ    筐体
４    ボディーマウント
９    ファインダ接眼窓
１０    ボディーマイコン（制御部）
１１    撮像センサ（撮像部）
１２    撮像センサ駆動制御部
２０    表示部
２１    画像表示制御部
２３    クイックリターンミラー
２５    電源スイッチ
２６    モード切換ダイアル
２７    十字操作キー（本体側操作部）
２８    ＭＥＮＵ設定ボタン
２９    ＳＥＴボタン
３０    レリーズボタン
３１    シャッター制御部
３３    シャッターユニット
３４    ファインダ切換ボタン
３５    動画撮影操作ボタン
４０    レンズマイコン
４１    フォーカスレンズ群駆動制御部
６１    ズームレンズ群駆動制御部
６４    ズームリング
６５，６８    回転検出部
６７    フォーカスリング（レンズ側フォーカス操作部）
６９    フォーカス操作レバー
７０    フォーカス操作レバー検出部
７９    レンズマウント
Ｌ    撮像光学系
Ｌ１    第１レンズ群（ズームレンズ群）
Ｌ２    第２レンズ群（フォーカスレンズ群）
【図１】
2010281848.tif 000003
【図２】
2010281848.tif 000004
【図３】
2010281848.tif 000005
【図４】
2010281848.tif 000006
【図５】
2010281848.tif 000007
【図６】
2010281848.tif 000008
【図７】
2010281848.tif 000009
【図８】
2010281848.tif 000010
【図９】
2010281848.tif 000011
【図１０】
2010281848.tif 000012
【図１１】
2010281848.tif 000013
【図１２】
2010281848.tif 000014
【図１３】
2010281848.tif 000015
【図１４】
2010281848.tif 000016